(57)【特許請求の範囲】
【請求項１】
絶縁基板上に平行に配置された長短一対の端子と、この一対の端子と直交しそれぞれの端子上面に当接して摺動する接点部を設けた接触片と、この接触片を係止して外部手段により駆動される摺動体と、この摺動体と上記接触片間に挿入された接触片を付勢するばねからなり、上記摺動体を摺動して上記接触片をオフからオンに切り換える際、オフ時はこの接触片が当接している長端子の幅寸法が接触片長さの２分の１以上であり、短端子と当接しオンした後は同２分の１以下となるように長端子の幅寸法を漸減するように傾斜させた摺動スイッチ。
【発明の詳細な説明】
【０００１】
【産業上の利用分野】
本発明は主に自動車用等の大電流制御に用いられる摺動スイッチに関するものである。
【０００２】
【従来の技術】
従来のこの種の摺動スイッチを図３〜図６により説明する。
【０００３】
まず、図３，図４に示すように絶縁基板１に短端子２ａと長端子２ｂで一対となる端子２を平行に配置すると共に、上記端子２に対応する接触片３を押圧バネ４を介して溝５ａを有する摺動体５の係止部（図示せず）に押圧して係止し、この摺動体５をスイッチケース６内に入れ、更にこのスイッチケース６に前記絶縁基板１をネジ１９にて締付け固定している。また、カム７とノブ８は軸９にそれぞれピン２１，２０で係止されていて、カム７の先端部７ａは前記、摺動体５に設けられた溝５ａにはめ込まれるように構成されている。
【０００４】
次に動作について図４，図５を用いて説明する。
上記従来例において、スイッチがＯＦＦの状態では、摺動体５は図４に示すように図中の右サイドに位置していて、接触片３は、図５に示すように長端子２ｂのみを押圧している。この状態から、ノブ８を矢印Ａの方向へ回転させると、カム７の先端７ａは矢印Ｂの方向へ回転し、このカム先端７ａの動きにより、摺動体５は左サイド方向にスライドし始め、バネ４で押圧され摺動体５に係止された接触片３も同時に左サイド方向にスライドし、長端子２ｂと短端子２ａを同時に押圧する位置にくると、短端子２ａと長端子２ｂは、接触片３を介して導通され、スイッチはＯＮされることになる。更にノブ８を矢印Ａ方向に回転させていくと、接触片３も同時に左サイド方向にスライドして、短端子２ａ、長端子２ｄの導通は安定される。
【０００５】
次に、ノブ８を反対方向の矢印Ｃ方向に回転させると、上記動作とは反対の動きをし、カム先端７ａは矢印Ｄ方向に回転し、摺動体５、接触片３は、左サイドから右サイド方向にスライドし、バネ４で押圧された接触片３は、短端子２ａと長端子２ｂから長端子２ｂだけを押圧するようになり、スイッチはＯＮからＯＦＦに切り替わることになる。
【０００６】
一方スイッチＯＦＦ時、図５（ｂ）に示す如く接触片３が傾いて絶縁基板１と接触するので接触片３がＯＮ方向にスライドし短端子２ａと接触する時、接触片３は短端子２ａの端面に当たることになり、引っ掛かりと衝突音を生じ、また、反対にＯＮからＯＦＦ方向に接触片３をスライドさせると、接触片３は短端子２ａの端面でバネ４の押圧により傾いて絶縁基板１と接触し絶縁基板１との間で衝突音を発生するという問題があった。
【０００７】
このため、図６（ａ）に示す如く長端子２ｃの端部に幅広部を設け、図６（ｂ）のようにＯＦＦ時に接触片３は長端子２ｃ上でバランスするようにしたものが用いられてきている。尚、図６（ｃ）は接触片３がＯＮ点時を示している。
【０００８】
【発明が解決しようとする課題】
しかしながら上記従来の摺動スイッチでは、図６に示す如く接触片３が短端子２ａに接触する位置に来た時、接触片３は長端子２ｃ上に半分以上乗っているために接触片３は長端子２ｃ上でバランスが取れており、短端子２ａには押圧力が加わらず実際のスイッチのＯＮ位置は短端子２ａの端部から更にＯＮ方向へ入った点に移動するために対向的なスイッチングとなり、更に、端子２の表面に塗布される接点グリースが短端子２ａの右側端面上にセルフクリーニングできないまま残り、これがスイッチＯＮ，ＯＦＦ時のアーク火花の発生により炭化されて炭化物としてたまり、絶縁抵抗を減少させ、また各端子２ａ，２ｃ間の間隔が広くとれない場合絶縁性が低下する問題があり、大電流をスイッチングできないという課題があった。
【０００９】
本発明は、このような従来の課題を解決するもので、スイッチのＯＦＦからＯＮ、ＯＮからＯＦＦ時の切り換え時に発生する衝突音や引っ掛かりをなくすと共に、各端子間の絶縁距離を大きくとり、大電流を制御することができる摺動スイッチを提供することを目的とするものである。
【００１０】
【課題を解決するための手段】
本発明は上記課題を解決するために少なくとも平行に絶縁体上に配置された短辺と長辺で一対となる端子と、この一対の端子のそれぞれの上を同時に摺動する半円筒形の接点部を設けた接触片と、この接触片を押圧するバネとを係止した摺動体が外部手段により駆動される摺動スイッチにおいて、この摺動体を摺動し上記接触片をオフからオンに切り換える際、オフ時はこの接触片がのっている長辺端子の幅寸法が接触片長さの２分の１以上であり、短辺端子端部と当接しオンする時はほぼ２分の１、オン後は２分の１以下となるように長辺端子の幅寸法が漸減するように傾斜させた構成としたものである。
【００１１】
【作用】
したがって、本発明によれば、オフ時は長端子の幅寸法が接触片長さの２分の１以上で接触片を受けており、そのためオンの瞬間まで接触片は長端子の上で平行を保つことができ、接触片が短端子に当接する際傾きがなく引っかかりがないため衝突音がほとんどしない。そしてオンした後は長端子の幅寸法が２分の１以下になるため、接触片の短端子側に接触圧がかかるようになる。
【００１２】
又短端子と長端子との間に充分な絶縁距離が取れるため、大電流制御ができるようになる。
【００１３】
【実施例】
以下、本発明の一実施例による摺動スイッチを図１〜図２により説明する。
【００１４】
なお従来技術として説明した構成部品と同一のものは同一符号を付して説明する。
【００１５】
同図において、２は短端子２ａと長端子２ｄで一対と成る端子であり、絶縁基板１上に配置されている。３は接触片でバネ４で押圧された状態で、摺動体５に係止され、この摺動体５をスイッチケース６内に入れ、更に前記絶縁基板１をこのスイッチケース６にネジ１９にて締付け固定している。７はカム、８はノブで、軸９にそれぞれピン２１，２０で係止され、カム７の先端部７ａは、前記摺動体５に設けられた溝５ａに係止されるように構成されている。
【００１６】
図２は要部詳細図で、短端子２ａの端部線上イに短端子２ａと長端子２ｄから成る端子２の中心線ロが交わる点ハに長端子２ｄを角度θで幅寸法が漸減するように傾斜し、かつこの傾斜した辺が接するように構成し、さらに各端子間は、距離ニを隔てて配置されている。
【００１７】
次に上記実施例の動作について説明する。
上記実施例において、スイッチＯＦＦの状態から、ノブ８を矢印Ａ方向に回転させるとバネ４で押圧された接触片３は、図２のＥ位置からＦの位置にきたときに短端子２ａと長端子２ｄを均等に押圧しながら導通し始め、さらにＧの位置で、スイッチＯＮの状態を保持する。
【００１８】
このように、上記実施例によれば、長辺と短辺の端子２を距離を隔てて平行に１対となるように配置し、この端子２表面をバネ４で押圧された接触片３が摺動するように構成されたスイッチにおいて、スイッチのＯＮ・ＯＦＦ切換点、すなわち接触片３が長端子２ｄと短端子２ａの両方に接し始める点Ｆで、長端子２ｄと短端子２ａの両方に均等にバネ４で押圧されるように長端子２ｄの幅を漸減し傾斜させ、さらに各端子間はスイッチのＯＮ・ＯＦＦ時に発生するアークに対して、十分な絶縁距離をとるように距離ニを隔てて配置したので、スイッチのＯＮ・ＯＦＦ切換え点での衝突音や、引っ掛かりがなく、さらには、端子間の絶縁距離を十分とったので、大電流（５（Ａ）〜１０（Ａ））のスイッチングが摺動によりできるという効果を有するものである。
【００１９】
【発明の効果】
本発明は、上記実施例より明らかなように短辺となる端子の端部線上と、長辺と短辺端子から成る端子の中心線上で交わる点に、長端子を短端子方向へ傾斜をもたせて、十分な絶縁距離を隔てて配置したので、次に示す効果を有する。
【００２０】
（１）スイッチのＯＮ・ＯＦＦ切換点で２本の端子に均等な押圧を与えられるようにしたので、確実な摺動スイッチングをすることができる。
【００２１】
（２）端子間の絶縁距離を大きくとり、絶縁性を向上したので、大電流のスイッチングに優れている。
【００２２】
（３）スイッチＯＦＦ時には接触片は、端子上でバランスして絶縁基板上に落ち込まないようになり、スイッチ切り換え時スムースなフィーリングと静音化が図れる。
【００２３】
（４）絶縁基板を平面板の打抜き加工（プレス加工）で作成できるため安価にできる。
【図面の簡単な説明】
【図１】本発明の一実施例による摺動スイッチの構成を示す分解斜視図
【図２】同要部平面図
【図３】従来の摺動スイッチの構成を示す分解斜視図
【図４】同断面図
【図５】同要部平面図
【図６】従来の摺動スイッチの他の例を示す要部平面図
【符号の説明】
１  絶縁基板
２  端子
２ａ  短端子
２ｄ  長端子
２ｅ  交点
３  接触片
４  バネ
５  摺動体
６  スイッチケース
７  カム
７ａ  カム先端部
８  ノブ
９  軸
１９  ネジ
２０，２１  ピン
【図１】
0003656288.tif 000002
【図２】
0003656288.tif 000003
【図３】
0003656288.tif 000004
【図４】
0003656288.tif 000005
【図５】
0003656288.tif 000006
【図６】
0003656288.tif 000007